(57)【要約】【課題】  一時的に所持物を置くことができ、しかも置いた所持物の置き忘れを防止することが可能なドア錠を提供すること。【解決手段】  この発明のドア錠は、扉１の内側面に取り付けられた本体２と、ブースパネル３に取り付けられ本体２と係合する係合具４とを有するドア錠であって、本体２が適宜の物を載置可能な載置部５を備えており、携帯電話、お金、筆記用具等適宜の物を載置することが可能で、しかも、開錠操作する際等に使用者の視界に入るため、載置した物の置き忘れを防止することができる。本体２は、扉１にスライド可能に取り付けられたものとすることができる。また、本体２は、扉１に回転可能に取り付けられたものとすることもできる。【選択図】  図１
2006028900.tif 000002
【特許請求の範囲】
【請求項１】
扉（１）の内側面に取り付けられた本体（２）と、ブースパネル（３）に取り付けられ本体（２）と係合する係合具（４）とを有するドア錠であって、本体（２）が適宜の物を載置可能な載置部（５）を備えていることを特徴とするドア錠。
【請求項２】
本体（２）が扉（１）にスライド可能に取り付けられたものである請求項１記載のドア錠。
【請求項３】
本体（２）が扉（１）に回転可能に取り付けられたものである請求項１記載のドア錠。
【発明の詳細な説明】
【技術分野】
【０００１】
この発明は、トイレブース等の扉に取り付けられ、ブースの内側から施錠するようにしたドア錠に関するものである。
【背景技術】
【０００２】
トイレブース内でトイレの使用者が携帯電話その他の所持物を、手から離してどこかに一時的に置きたいことがよくある。しかし、トイレブース内には適当な置き場所がなく、しいて挙げれば貯水タンクの上や、扉の上等を利用するしかなかった。しかしこのような場所を所持物の置き場所とすると、トイレの使用中に所持物から目が離れるため、所持物をトイレ内に置き忘れたりすることが多かった。
【０００３】
一方、ドア錠は、トイレの使用者がトイレブース内から外へ出るときに必ず開錠操作するものであり、また、トイレの使用中においても、目の前に位置して常に視界に入っていることが多い。しかし、ドア錠を所持物の置き場所として利用できるようにするという発想はこれまで全くなされていなかった。
【０００４】
なお、従来の、トイレ等の扉に取り付けられ、ブースの内側から施錠するドア錠としては、特許文献１に記載のようなものがある。
【特許文献１】特開平１１−３２４４５５号公報
【発明の開示】
【発明が解決しようとする課題】
【０００５】
そこで、この発明は、一時的に所持物を置くことができ、しかも置いた所持物の置き忘れを防止することが可能なドア錠を提供することを課題とする。
【課題を解決するための手段】
【０００６】
この発明のドア錠は、扉１の内側面に取り付けられた本体２と、ブースパネル３に取り付けられ本体２と係合する係合具４とを有するドア錠であって、本体２が適宜の物を載置可能な載置部５を備えているものとしている。
【０００７】
本体２は、扉１にスライド可能に取り付けられたものとすることができる。
【０００８】
また、本体２は、扉１に回転可能に取り付けられたものとすることもできる。
【発明の効果】
【０００９】
この発明のドア錠は、上述のような構成を有しており、本体２に携帯電話、お金、筆記用具等適宜の物を載置することが可能で、しかも、開錠操作する際等に使用者の視界に入るため、載置した物の置き忘れを防止することができる。
【発明を実施するための最良の形態】
【００１０】
この発明のドア錠は、扉１の内側面に取り付けられた本体２と、ブースパネル３に取り付けられ本体２と係合する係合具４とを有するドア錠であって、本体２が適宜の物を載置可能な載置部５を備えているものである。
【００１１】
以下、この発明の好適な実施形態を、図面を参照して説明する。
【００１２】
図１はこの発明の第１実施形態のドア錠で、開錠状態の斜視図、図２はその施錠状態の平面図である。第１実施形態は、スライド式のドア錠としており、その本体２において前面側に載置部５を設けている。
【００１３】
このドア錠の本体２や係合具４は、金属、合成樹脂、その他適宜の素材からなる部品により構成されたものとすることができる。本体２は、扉１の内側面に水平方向にスライド可能に取り付けられたスライド部６と、スライド部６の前側に設けられた接続部７と、接続部７の前側に設けられた載置部５からなる。スライド部６、接続部７及び載置部５は一体成形したものとすることができる。係合具４は横断面がＬ字状としている。
【００１４】
本体２のスライド部６と接続部７は数ｍｍ程度の厚みの細長い板状であり、載置部５は奥行き数ｃｍ程度で全周に周壁を有する横長の長方形のトレイ形状としている。接続部７はスライド部６や載置部５より短く、右端部に隙間８が生じるようにしており、図２に示したように、本体２をブースパネル３側（右方向）にスライドさせたときにこの隙間８に係合具４が嵌って係合し、扉１の施錠が行われるようにしている。開錠状態にするには、本体２を施錠時とは反対の方向にスライドさせる。
【００１５】
このドア錠は、施錠状態から開錠状態にするとき、本体２をスライドさせるので、載置部５に物が置かれたままであると使用者が容易に気づき、物の置き忘れ防止に大きな効果を奏する。
【００１６】
図３はこの発明の第２実施形態のドア錠で、開錠状態の斜視図（係合具４を一部切欠して示した）、図４はその施錠状態の斜視図である。第２実施形態は、スライド式のドア錠で、本体２が扉１の内側面に水平方向に取り付けられたレール部９と、レール部９の前側に取り付けられた展開可能な載置部５からなる。係合具４は前記レール部９に隣接する短いレール状としている。
【００１７】
このドア錠の本体２や係合具４は、金属、合成樹脂、その他適宜の素材からなる部品により構成されたものとすることができる。前記レール部９と係合具４は縦断面が略Ｃ字状で、載置部５はレール部９の右端側に固定された固定体１０と、レール部９をスライド可能な移動体１１と、固定体１０と移動体１１との間に設けられた展開部材１２からなる。
【００１８】
固定体１０と移動体１１は略コ字状で両者が合わさったときに四角枠形状になるようにしており、さらに固定体１０と移動体１１の各前後の腕間に棒状の掛け具１３を設け、この掛け具１３に展開部材１２の両端を取り付けている。
【００１９】
また、固定体１０と移動体１１は、その扉１側の端部１４が前記レール部９と係合具４に嵌ってスライド可能で、かつ前後方向（扉１に垂直な方向）には抜けないようになっている。このドア錠は、移動体１１が係合具４に達したときに施錠状態となる。開錠状態にするには、移動体１１を施錠時とは反対の方向にスライドさせる。
【００２０】
前記展開部材１２は布製としており、長方形状で両端を内方に曲げて縫製することにより掛け具１３を通す通し孔１５を形成している。前記展開部材１２は、ドア錠の開錠状態においては２つ折の畳んだ状態になっているが（図３参照）、施錠状態（移動体１１が係合具４に達したとき）においては、展開されて固定体１０と移動体１１との間でぴんと張るように（図４参照）、その長さを設定している。
【００２１】
このドア錠は、施錠状態から開錠状態にするとき、展開部材１２が畳まれるので、載置部５に物が置かれたままであると使用者が容易に気づき、物の置き忘れ防止に大きな効果を奏する。
【００２２】
図５はこの発明の第３実施形態のドア錠で、開錠状態の斜視図、図６はその施錠状態の斜視図である。第３実施形態は回転式のドア錠で、本体２は、扉１の内側面に垂直方向に設けられた回転軸部１６と、回転軸部１６の半径方向に延びるハンドル部１７からなり、係合具４はブースパネル３の内側面に垂直に延びるように固定されたものとしている。
【００２３】
このドア錠の本体２や係合具４は、金属、合成樹脂、その他適宜の素材からなる部品により構成されたものとすることができる。前記ハンドル部１７は外端に向かって幅広となる形状としており、その片面（施錠時において上になる面）を載置部５としている。ハンドル部１７の外端側には円形の係合穴１８が形成されており、その内側に円形の凹み１９を形成している。凹み１９には、小銭や鍵等を載置することができる。
【００２４】
係合具４には、その上面に前記係合穴１８と係合する凸部２０が形成されている。このドア錠は、ハンドル部１７を手で回転させ、係合穴１８を係合具４の凸部２０に係合させることにより施錠状態にすることができる。開錠状態にするには、ハンドル部１７を施錠時と反対方向に回転させる。
【００２５】
なお、凸部２０はゴム製等の弾力性を有するものとすることにより、強い勢いでハンドル部１７が回転したときでも、これを弾力的に受け止め、破損や衝撃音の発生が防止されるようにするとよい。
【００２６】
このドア錠は、施錠状態から開錠状態にするとき、ハンドル部１７を回転させるので、載置部５に物が置かれたままであると使用者が容易に気づき、物の置き忘れ防止に大きな効果を奏する。
【００２７】
図７はこの発明の第４実施形態のドア錠で、開錠状態の斜視図、図８はその施錠状態の斜視図である。第４実施形態は回転式のドア錠で、本体２は、扉１の内側面に設けられた軸受け部２１と、軸受け部２１の半径方向に延びるパネル部２２からなり、係合具４はブースパネル３の内側面に固定され、水平に扉１側に曲がったものとしている。
【００２８】
このドア錠の本体２や係合具４は、金属、合成樹脂、その他適宜の素材からなる部品により構成されたものとすることができる。前記軸受け部２１は、取付具２３を介して扉１の内側面に設けられており、パネル部２２の扉１側の端部の軸部２４を左右から挟むようにしている。
【００２９】
パネル部２２は、長方形の板状であり、その片面（上面）を載置部５としており、軸部２４の各端部をそれぞれ軸受け部２１に取り付けることにより、前後方向に回転可能となっている。また、パネル部２２のブースパネル３側の端部には、係合具４に係合する突起２５がブースパネル３側に突出する突出部２６に設けられている。
【００３０】
また、突出部２６の突起２５を設けた面の反対側の面にも同様な突起２７が設けられており、さらに扉１の開錠状態において前記突起２７を受け止める受け部材２８が扉１の内側面に設けられている。
【００３１】
係合具４は、細長い丸棒状部材を曲がったＵ字状にしたものであり、パネル部２２を下方に回転させ、係合具４の先端の内側部分に前記突起２５が嵌ることにより、扉１が施錠されるとともに、パネル部２２が水平状態に保持されるようになっている。開錠状態にするには、施錠時と反対方向にパネル部２２を回転させる。
【００３２】
このドア錠は、施錠状態から開錠状態にするとき、パネル部２２を回転させるので、載置部５に物が置かれたままであると使用者が容易に気づき、物の置き忘れ防止に大きな効果を奏する。
【００３３】
図９はこの発明の第５実施形態のドア錠で、開錠状態の斜視図、図１０はその施錠状態に移行中の斜視図、図１１は施錠状態の斜視図である。第４実施形態は回転式のドア錠で、本体２は四角形の板状の周縁部を残して少し凹ませた形状で、前記凹ませた部分を載置部５とし、これに直角な側片２９をブースパネル３側（左側）に有している。側片２９には係合具４に係合させるための凹部３０が形成されている。
【００３４】
本体２は、アルミ製の板を曲げ加工することにより作製することができる。本体２は、その扉１側の端部と扉１の内側面との間に設けられた蝶番３１により、前後方向に回転可能としており、開錠時においては、本体２の載置部５は扉１の内側面に沿い、本体２の側片２９が扉１の側面に沿うようにしている。
【００３５】
係合具４は、係合具４はブースパネル３の内側面に垂直方向に延びるように固定され、本体２の前記側片２９の凹部３０に係合して本体２を下から支持する支持部３２を扉１側に突出する態様で設けたものとしている。
【００３６】
前記側片２９の凹部３０と係合具４の支持部３２の縦断面はともに四角形状で、本体２を上方に回転させて持ち上げ、少し開いた状態の扉１をブースパネル３に接近させ、前記凹部３０に支持部３２を嵌めることにより、扉１が施錠されるとともに、本体２が水平状態に保持されるようになっている。開錠状態にするには、いったん本体２を持ち上げ、前記凹部３０と支持部３２との嵌合を解除した後、扉１を少し開いた状態にし、本体２を下方に回転させる。
【００３７】
このドア錠は、施錠状態から開錠状態にするとき、本体２を回転させるので、載置部５に物が置かれたままであると使用者が容易に気づき、物の置き忘れ防止に大きな効果を奏する。
【００３８】
以上のように、この発明のドア錠は、本体２に載置部５を有しており、この載置部５に携帯電話、お金、筆記用具等適宜の物を載置することが可能である。しかも、トイレブースに設けた場合は、トイレの使用者の目の前に位置して常に視界に入ることになり、また、開錠操作する際にも使用者の視界に入るため、載置した物の置き忘れを防止することが可能で、トイレの使用者は、所持物の置き忘れを意識することなく、落ち着いてトイレを使用することができる。
【００３９】
なお、この発明のドア錠は、上記各実施形態に限定されるものではなく、形状、寸法、材質等を適宜変更して実施することが可能である。
【図面の簡単な説明】
【００４０】
【図１】この発明の第１実施形態のドア錠の開錠状態の斜視図である。
【図２】この発明の第１実施形態のドア錠の施錠状態の平面図である。
【図３】この発明の第２実施形態のドア錠の開錠状態の一部切欠斜視図である。
【図４】この発明の第２実施形態のドア錠の施錠状態の斜視図である。
【図５】この発明の第３実施形態のドア錠の開錠状態の斜視図である。
【図６】この発明の第３実施形態のドア錠の施錠状態の斜視図である。
【図７】この発明の第４実施形態のドア錠の開錠状態の斜視図である。
【図８】この発明の第４実施形態のドア錠の施錠状態の斜視図である。
【図９】この発明の第５実施形態のドア錠の開錠状態の斜視図である。
【図１０】この発明の第５実施形態のドア錠の施錠状態へ移行中の斜視図である。
【図１１】この発明の第５実施形態のドア錠の施錠状態の斜視図である。
【符号の説明】
【００４１】
１  扉
２  本体
３  ブースパネル
４  係合具
５  載置部
【図１】
2006028900.tif 000003
【図２】
2006028900.tif 000004
【図３】
2006028900.tif 000005
【図４】
2006028900.tif 000006
【図５】
2006028900.tif 000007
【図６】
2006028900.tif 000008
【図７】
2006028900.tif 000009
【図８】
2006028900.tif 000010
【図９】
2006028900.tif 000011
【図１０】
2006028900.tif 000012
【図１１】
2006028900.tif 000013